(57)【要約】      （修正有）【課題】ある範囲は軽く開閉、ある範囲は開閉し難くするなど、開閉範囲内における開閉に必要とするダンピング力を範囲ごとに設定可能とするとともに、広角に開閉可能な構成とすることができるエリアダンパーを提供する。【解決手段】蓋、扉などの回転部と支持部１のいずれかにマグネットを、他方に強磁性体プレートを配置して、磁力により相互に吸引した状態でスライド移動させて蓋、扉などの開閉を制御するマグネットダンパーにおいて、蓋、扉などの開閉範囲内において所定範囲ごとに磁力と強磁性体プレートによる吸引力を、マグネットの磁力、マグネットの個数、またはマグネットと強磁性体プレートとの距離などにより、所定範囲ごとに所要の吸引力に設定する構造を備え、所定範囲ごとに蓋、扉などの開閉に必要となるダンピング力を設定可能とする。【選択図】図１
0003204381.tif 000002
【実用新案登録請求の範囲】
【請求項１】
兆番などを回転軸として開閉する蓋、扉の開閉構造に関して、蓋または扉などの回転部と支持部のいずれかにマグネットを、他方に強磁性体プレートを配置して、磁力により相互に吸引した状態でマグネットを強磁性体プレート上でスライド移動させて蓋、扉などの開閉を制御するマグネットダンパーにおいて、蓋、扉などの開閉範囲内において所定範囲ごとに磁石と強磁性体プレートによる吸引力を、マグネットの磁力、マグネットの個数、またはマグネットと強磁性体プレートとの距離などにより所要の吸引力に設定する構造を備えることにより、所定範囲ごとに蓋、扉などの開閉に必要なダンピング力を任意に設定可能とするエリアダンパー。
【請求項２】
請求項１に記載するマグネットならびに強磁性体プレートが、蓋、扉などの回転によって相互に吸引を行う際に、吸引の開始、終了の近傍ではマグネットと強磁性体プレートとの距離を徐々に変化させながらスライドさせる構造を備えるエリアダンパー。
【考案の詳細な説明】
【技術分野】
【０００１】蓋または扉などの回転部と支持部のいずれかにマグネットを、他方に強磁性体プレートを配置して、磁力により相互に吸引した状態でマグネットを強磁性体プレート上でスライド移動させて蓋、扉などの開閉を制御するマグネットダンパーにおいて、蓋、扉などの開閉範囲内において所定範囲ごとに磁石と強磁性体プレートによる吸引力を、マグネットの磁力、マグネットの個数、またはマグネットと強磁性体プレートとの距離などにより設定して所要のダンピング力を設定する。
【背景技術】
【０００２】兆番などを回転軸として開閉する蓋、扉などの開閉力をダンピング制御するために、バネ、オイル、エアなど各種のダンパー構造が実用化されているが、そのいずれもが蓋、扉などの開閉範囲内におけるダンピング力はほぼ一定であり、蓋、扉などのダンピング力を所定範囲において任意に設定することは出来ない。
【考案が解決しようとする課題】
【０００３】兆番などを回転軸として開閉する蓋、扉などの開閉力をダンピング制御するために、バネ、オイル、エアなど各種のダンパー構造が実用化されているが、そのいずれもが蓋、扉などの開閉範囲内におけるダンピング力はほぼ一定であり、蓋、扉などのダンピング力を所定範囲において任意に設定することは出来ないため、ある範囲は軽く開閉、ある範囲は開閉し難くするなど、開閉範囲内における開閉に必要とするダンピング力を範囲ごとに設定可能とするとともに、広角に開閉可能な構成とする。
【課題を解決するための手段】
【０００４】蓋、扉などの回転部と支持部のいずれかにマグネットを、他方に強磁性体プレートを配置して、磁力により相互に吸引した状態でスライド移動させて蓋、扉などの開閉を制御するマグネットダンパーにおいて、蓋、扉などの開閉範囲内において所定範囲ごとに磁力と強磁性体プレートによる吸引力を、マグネットの磁力、マグネットの個数、またはマグネットと強磁性体プレートとの距離などにより、所定範囲ごとに所要の吸引力に設定する構造を備え、所定範囲ごとに蓋、扉などの開閉に必要となるダンピング力を設定可能とする。
【考案の効果】
【０００５】蓋、扉などの開閉範囲内において所定範囲ごとに磁石と強磁性体プレートによる吸引力を、マグネットの磁力、マグネットの個数、またはマグネットと強磁性体プレートとの距離などを設定することにより、所定の範囲それぞれにおけるマグネットと強磁性体プレートとの吸引力を任意に設定して、所定の範囲を軽い力で開閉し、所定の範囲を開き難くするなどの設定を可能とすることにより、蓋、扉などの不用意、かつ急速な開閉を防ぐ効果が得られるとともに、最大では３６０度の広角な開閉が可能となる。
【考案を実施するための形態】
【０００６】図１は本考案の一実施例を示す概念図を示す。蓋２が兆番４を回転軸とし、支持部１を回転開閉する構造を示し、蓋の開閉強さをエリアダンパー３によって規制している。図２に基本的なマグネットダンパーの構成図を示す。マグネットプレート５に固定されたマグネット７は、強磁性体プレート６に吸引された状態で、蓋２の開閉により強磁性体プレート６に接触しつつ回転することにより、マグネット７と強磁性体プレート６との摩擦ならびに磁力により蓋２の回転は規制され急激な開閉が防がれる。しかし、このような簡単なダンパーでは、蓋の重心は開閉位置によって移動するため、開閉位置によりダンパーにかかる荷重が変化して最大荷重と最小荷重には大きな差が生じ、蓋が自重で閉まることも有る。
【０００７】図３は本考案のエリアダンパーの一構成例を示す。マグネットプレート５に固定されたマグネット７は、強磁性体プレート６に吸引された状態で、蓋２の開閉により強磁性体プレート６に接触しつつ回転する状況は一般的なマグネットダンパーの構成であるが、本エリアダンパーは補助マグネット８がマグネットプレート５に追加され、蓋が回転して補助マグネット８が強磁性体プレート６のスロープ部９に達すると、補助マグネット８が強磁性体プレート６のスロープ部９に吸引され、ダンパーはマグネット７の吸引力にマグネット８の吸引力が加算されるため蓋は強い力で止められて、自重で開閉することは避けられる。
【０００８】請求項２では、蓋が回転して補助マグネットが強磁性体プレート６のスロープ部９に達すると、補助マグネット８が強磁性体プレートのスロープ部に吸引され、ダンパーはマグネット７の磁力にマグネット８の磁力が加算されるため蓋は強いダンピング力で止められるが、強磁性体プレート６の突出部９がスロープ部になっているため、マグネット８が強磁性体プレートスロープ部に接近すると次第に強磁性体プレートとマグネットとの距離が傾斜的に接近し、相互の吸引力が次第に強くなり、逆にマグネットが強磁性体プレートのスロープ部から外れる方向に移動する場合は吸引力が次第に弱くなるためマグネット８の磁力はマグネット７の磁力に対して緩やかに加算、減算され、急激な変化が防がれる。
【０００９】図４は強磁性体プレートの１０の部分が開口されており、開口部では強磁性体プレートと磁石の磁力が作用しなくなるため、蓋は開放部でフリーな状態になる。このように、本考案によるエリアダンパーは、蓋、扉などの開閉を制御するマグネットダンパーにおいて、蓋、扉などの開閉範囲内において所定範囲ごとに磁石と強磁性体プレートによる吸引力を、マグネットの磁力、マグネットの個数、またはマグネットと強磁性体プレートとの距離などにより所要の吸引力に設定する構造を備えることにより、所定範囲ごとに蓋、扉などの開閉に必要なダンピング力を任意に設定することが出来る。
【実施例】
【００１０】図１に示す縦４００×横４００×高４００ｍｍの箱構成で、素材を２ｍｍのアルミ板で構成した場合の蓋の重心は４０度の開き位置となり、４０度で最大荷重となり、最低荷重とは２Ｎの差が生じるため、マグネット７は吸引力４Ｋｇのネオジウム、マグネット８は吸引力２．７Ｋｇのネオジウムで構成した。マグネット８により補強しない場合は４０度開き位置から蓋は自重で滑る動きをするが、マグネット８を取り付けることにより、自重による滑りは防がれ、安定した開閉動作となり、任意の位置で開閉動作を停止することも可能であるとともに、請求項２のスロープ構造を採用することにより開閉動作は極めてスムーズになる。【００１１】このように蓋、扉の開閉範囲において任意の範囲で開閉動作を軽くしたり、重くしたり、またはフリーにするなどきめの細かい制御が可能となるとともに、バネ、オイル、エアなど従来のダンパー構造では棒状のダンパー構造により蓋の開きが規制されるため、大きく開閉することは出来ないが、本エリアダンパーでは最大では３６０度の開閉も可能となる。さらに適度な開き角で一時停止させることも出来る。開閉、回転制御の手段としては、マグネットの磁力、マグネットの個数、またはマグネットと強磁性体プレートとの距離などによりマグネットと強磁性体プレートとの吸引力を設定することにより設定できる。マグネットとしては、ネオジウム、フェライトなど、強磁性体プレートとしては、鉄、マグネット、マグネットに吸引するステンレスなど多様であり、機能、性能、各種材質、ディメンジョンなどに関しては、本考案の趣旨を逸脱しない範囲であれば種々変形実施が可能である。
【図面の簡単な説明】
【００１２】
【図１】本考案によるエリアダンパーの一実施例を示す概念図
【図２】一般的なマグネットダンパーの構成図
【図３】２ケのマグネットにより構成するエリアダンパーの構成図
【図４】プレートに開口部を備えるエリアダンパーを示す構成図
【符号の説明】１  支持部                            ７  マグネット
２  開閉蓋                            ８  マグネット
３  エリアダンパー                    ９  プレートスロープ部
４  兆番                            １０  プレート開口部
５  マグネットプレート
６  強磁性体プレート
【図１】
0003204381.tif 000003
【図２】
0003204381.tif 000004
【図３】
0003204381.tif 000005
【図４】
0003204381.tif 000006